【手続補正書】
【提出日】平成17年6月23日(2005.6.23)
【手続補正１】
【補正対象書類名】明細書
【補正対象項目名】特許請求の範囲
【補正方法】変更
【補正の内容】
【特許請求の範囲】
【請求項１】  メモリ更新モードを含む複数のモードで作動可能なマイクロプロセッサと、
上記マイクロプロセッサに接続された不揮発性メモリと、
無線通信チャネルを通じてデータを受信するために、上記マイクロプロセッサに接続された無線通信インターフェースとを備え、
上記マイクロプロセッサが上記メモリ更新モードにある時は、上記データの受信に応じ、上記無線通信インターフェースにより受信されるデータを、上記マイクロプロセッサにより上記不揮発性メモリ内に記憶するようにしたことを特徴とする電子装置。
【請求項２】  上記電子装置を上記メモリ更新モードに設定する手段を備えたことを特徴とする上記請求項１に記載の電子装置。
【請求項３】  上記設定手段は、(ｉ)負荷入力、クロック入力、出力とを有するカウンタ、及び上記カウンタの上記クロック入力に接続された出力を有する発振器を有するタイマー回路と、(ｉｉ)バッテリと上記マイクロプロセッサとの間に接続され、上記カウンタの出力により作動制御されるスイッチとを備えたことを特徴とする上記請求項２に記載の電子装置。
【請求項４】  上記カウンタは、上記カウンタに負荷入力が設定された時、所定のカウンタ初期値がロードされることを特徴とする上記請求項３に記載の電子装置。
【請求項５】  上記カウンタは、上記カウンタに負荷入力が設定された時、上記マイクロプロセッサによって、カウンタ開始値がロードされることを特徴とする上記請求項３に記載の電子装置。
【請求項６】  上記設定手段は、上記電子装置を、直接上記メモリ更新モードに設定するためのモード選択スイッチを備えることを特徴とする上記請求項２に記載の電子装置。
【請求項７】  上記不揮発性メモリ内に記憶された上記データは、実行可能なプログラムコードに相当することを特徴とする上記請求項１に記載の電子装置。
【請求項８】  上記不揮発性メモリ内に記憶された上記データは、上記電子装置を設定する少なくとも一つのパラメータに相当することを特徴とする上記請求項１に記載の電子装置。
【請求項９】  上記不揮発性メモリは、複数のブロックに論理的に分割されることを特徴とする上記請求項１に記載の電子装置。
【請求項１０】  上記複数のブロックは、複数のサブブロックに論理的に分割されることを特徴とする上記請求項９に記載の電子装置。
【請求項１１】  上記無線通信インターフェースは、ＲＦ受信機を含むことを特徴とする上記請求項１に記載の電子装置。
【請求項１２】  上記無線通信インターフェースは、赤外線通信ユニットを含むことを特徴とする上記請求項１に記載の電子装置。
【請求項１３】  上記無線通信インターフェースは、時分割多重アクセスプロトコルを使用して通信することを特徴とする上記請求項１に記載の電子装置。
【請求項１４】  上記無線通信インターフェースは、周波数分割多重アクセスプロトコルを使って通信することを特徴とする上記請求項１に記載の電子装置。
【請求項１５】  上記無線通信インターフェースは、コード分割多重アクセスプロトコルを使って通信することを特徴とする上記請求項１に記載の電子装置。
【請求項１６】  上記電子装置は、携帯電話を含むことを特徴とする上記請求項１に記載の電子装置。
【請求項１７】  上記電子装置は、ポケットベルを含むことを特徴とする上記請求項１に記載の電子装置。
【請求項１８】  上記電子装置が、パーソナルコンピュータを含むことを特徴とする上記請求項１に記載の電子装置。
【請求項１９】  上記メモリ更新モードに設定されている上記マイクロプロセッサに応答して、上記電子装置は、無線メモリ更新を行うべきであることを示す所定の識別コードを含む通知チャネルの探索のために、チャネルの所定リストを走査することを特徴とする上記請求項１に記載の電子装置。
【請求項２０】  上記電子装置が上記通知チャネルの場所を見つけ出すことに応答して、上記電子装置は、データチャネルからデータを読込むことを特徴とする上記請求項１９に記載の電子装置。
【請求項２１】  上記通知チャネルが上記データチャネルと同じであることを特徴とする上記請求項２０に記載の電子装置。
【請求項２２】  電子装置の不揮発メモリ内に記憶されたデータを更新するためのシステムであって、
（ａ）第一マイクロプロセッサと、第一無線通信インターフェースと、上記第一マイクロプロセッサに接続され、更新データを含むメモリとを有するプログラミングユニット、及び
（ｂ）（ｉ）メモリ更新モードを含む複数のモードで作動可能な第二マイクロプロセッサと、
（ｉｉ）上記第二マイクロプロセッサに接続された不揮発性メモリと、
（ｉｉｉ）上記プログラミングユニットから更新データを受信するために、上記第二マイクロプロセッサに接続される第二無線通信インターフェースとを有する電子装置を備え、
上記第二マイクロプロセッサが上記メモリ更新モードにある間は、上記更新データの受信に応答して、受信された更新データが、上記第二マイクロプロセッサによって上記不揮発性メモリ内に記憶されるようにすると共に、
（ｃ）上記プログラミングユニットと上記電子装置との間の無線通信経路を備えたことを特徴とするデータ更新システム。
【請求項２３】  上記無線通信経路が、上記プログラミングユニットから上記電子装置へデータを通信するための単方向通信チャネルと、上記プログラミングユニットと上記電子装置との間でデータを通信するための双方向通信チャネルを含むことを特徴とする上記請求項２２に記載のデータ更新システム。
【請求項２４】  プログラミングユニット、電子装置、及び上記プログラミングユニットと上記電子装置との間の無線通信経路とを備える、上記電子装置の不揮発メモリ内に記憶されたデータを更新するためのシステムであって、上記プログラミングユニットは、第一マイクロプロセッサ、第一無線通信インターフェース、及び上記第一マイクロプロセッサに接続されたメモリを備え、上記メモリは更新データを格納し、上記電子装置は、第二マイクロプロセッサに接続された不揮発性メモリを備えており、
上記電子装置は、
（ｉ）メモリ更新モードを含む複数のモードで作動可能な上記第二マイクロプロセッサと、
（ｉｉ）上記プログラミングユニットから更新データを受信するために、上記第二マイクロプロセッサに接続される第二無線通信インターフェースと、
を更に備え、上記第二マイクロプロセッサが上記メモリ更新モードにある間は、上記更新データの受信に応答して、第二無線通信インターフェースによって受信された更新データが、上記第二マイクロプロセッサによって上記不揮発性メモリ内に記憶され、
上記第二無線通信インターフェースは、上記プログラミングユニットから上記電子装置へデータを通信するための単方向通信チャネルと、上記プログラミングユニットと上記電子装置との間でデータを通信するための双方向通信チャネルとを備え、
上記単方向通信チャネルは、通知データ及び更新データを上記電子装置に通信し、上記通知データは複数の通知フレームにおいて反復され、上記更新データは複数の更新データフレームにおいて反復されることを特徴とするシステム。
【請求項２５】  上記複数の通知フレームの各々が、チャネル識別フィールドとロケーションフィールドとを含む複数のフィールドに分割されることを特徴とする上記請求項２４に記載のシステム。
【請求項２６】  上記複数の通知フレームの各々が、ブロック番号フィールドとデータフィールドとを含む複数のフィールドに分割されることを特徴とする上記請求項２３に記載のシステム。
【請求項２７】  上記双方向チャネルが、上記プログラミングユニットと上記電子装置との間で認証信号と肯定応答信号を通信することを特徴とする上記請求項２３に記載のデータ更新システム。
【請求項２８】  上記無線通信経路が、上記プログラミングユニットから上記電子装置へデータを通信するための第一及び第二の単方向通信チャネルと、上記プログラミングユニットと上記電子装置との間でデータを通信するための第一及び第二の双方向通信チャネルとを備えることを特徴とする上記請求項２２に記載のデータ更新システム。
【請求項２９】  プログラミングユニット、電子装置、及び上記プログラミングユニットと上記電子装置との間の無線通信経路とを備える、上記電子装置の不揮発メモリ内に記憶されたデータを更新するためのシステムであって、上記プログラミングユニットは、第一マイクロプロセッサ、第一無線通信インターフェース、及び上記第一マイクロプロセッサに接続されたメモリを備え、上記メモリは更新データを格納し、上記電子装置は、第二マイクロプロセッサに接続された不揮発性メモリを備えており、
上記電子装置は、
（ｉ）メモリ更新モードを含む複数のモードで作動可能な上記第二マイクロプロセッサと、
（ｉｉ）上記プログラミングユニットから更新データを受信するために、上記第二マイクロプロセッサに接続される第二無線通信インターフェースと、
を更に備え、上記第二マイクロプロセッサが上記メモリ更新モードにある間は、上記更新データの受信に応答して、第二無線通信インターフェースによって受信された更新データが、上記第二マイクロプロセッサによって上記不揮発性メモリ内に記憶され、
上記第二無線通信インターフェースは、上記プログラミングユニットから上記電子装置へデータを通信するための第一及び第二の単方向通信チャネルと、上記プログラミングユニットと上記電子装置との間でデータを通信するための第一及び第二の双方向通信チャネルとを備え、
上記第一の単方向通信チャネルは、通知データを上記電子装置に通信し、上記通知データは複数の通知フレームにおいて反復されることを特徴とするシステム。
【請求項３０】  上記第二の単方向通信チャネルが、更新データを上記電子装置に通信し、上記更新データが複数の更新フレームにおいて反復されることを特徴とする上記請求項２９に記載のシステム。
【請求項３１】  上記複数の通知フレームの各々が、チャネル識別フィールドとロケーションフィールドとを含む複数のフィールドに分割されることを特徴とする上記請求項２９に記載のシステム。
【請求項３２】  上記複数の更新データフレームの各々が、ブロック番号フィールドとデータフィールドとを含む複数のフィールドに分割されることを特徴とする上記請求項２９に記載のシステム。
【請求項３３】  上記第一の双方向チャネルが、上記プログラミングユニットと上記電子装置との間で認証信号を通信することを特徴とする上記請求項２８に記載のデータ更新システム。
【請求項３４】  上記第二の双方向チャネルが、上記プログラミングユニットと上記電子装置との間で肯定応答信号を通信することを特徴とする上記請求項２８に記載のデータ更新システム。
【請求項３５】  複数の電子装置を含むことを特徴とする上記請求項２２に記載のデータ更新システム。
【請求項３６】  マイクロプロセッサと、
無線通信インターフェースと、
上記マイクロプロセッサに接続され、一つ以上の電子装置のメモリを更新するために、更新データを含んだメモリとを備え、
上記無線通信インターフェースを通して、上記更新データを上記一つ以上の電子装置へ送信すると共に、上記更新データの受信を肯定応答する上記一つ以上の電子装置から信号を受信するようにしたことを特徴とするプログラミングユニット。
【請求項３７】  マイクロプロセッサと、
無線通信インターフェースと、
上記マイクロプロセッサに接続され、一つ以上の電子装置のメモリを更新するために、複数のソフトウェア改訂レベルに対応する複数の更新データセットを含んだメモリと、
特定の電子装置に関する望ましいソフトウェアの改訂レベルに対応する更新データセットを選択するための手段とを備え、
上記無線通信インターフェースを通して、上記選択された更新データを上記一つ以上の電子装置へ送信すると共に、上記更新データセットの受信を肯定応答する上記一つ以上の電子装置から信号を受信するようにしたことを特徴とするプログラミングユニット。
【請求項３８】  マイクロプロセッサと、
無線通信インターフェースと、
上記第一マイクロプロセッサに接続され、一つ以上の電子装置のメモリを更新するために、複数のソフトウェア改訂レベルに対応する複数の更新データセットを含んだメモリと、
特定の電子装置に関する望ましいソフトウェアの改訂レベルに対応する更新データセットを選択するための手段と、
一つ以上の電子装置を収容する手段とを備え、
上記無線通信インターフェースを通して、上記選択された更新データを上記一つ以上の電子装置へ送信すると共に、上記更新データセットの受信を肯定応答する上記一つ以上の電子装置から信号を受信するようにしたことを特徴とするプログラミングユニット。
【請求項３９】  マイクロプロセッサと、無線通信インターフェースと、上記第一マイクロプロセッサに接続されるメモリと、特定の電子装置に関する所望のソフトウェア改訂レベルに対応する更新データセットを選択するための手段とを備え、上記メモリは、一つ以上の電子装置の前記メモリを更新するための複数の更新データセットを含んでいるプログラミングユニットにおいて、
前記複数の更新データセットは、複数のソフトウェア改訂レベルに対応し、
上記プログラミングユニットは、上記無線通信インターフェースを通して、上記選択された更新データを上記一つ以上の電子装置へ送信すると共に、上記更新データセットの受信を肯定応答する上記一つ以上の電子装置から信号を受信し、
上記プログラミングユニットは、更に上記一つ以上の電子装置を収容する手段を備え、上記収容手段は、複数の電子装置を選択的に収容し且つ個別に取出すための複数区画を有する回転式トレーを備えることを特徴とするプログラミングユニット。
【請求項４０】  上記プログラミングユニットの作動状態を表示するための手段を備えることを特徴とする上記請求項３８に記載のプログラミングユニット。
【請求項４１】  プログラミングユニットと複数の電子装置とを備え、上記プログラミングユニットと上記複数の電子装置とは、各々、マイクロプロセッサと無線通信インターフェースとを有し、且つ、上記複数の電子装置は、不揮発性メモリと上記電子装置をメモリ更新モードに設定する手段を各々有しているシステムにおける、上記複数の電子装置の１つにおける不揮発性メモリ内に記憶されたデータを更新する方法であって、
上記プログラミングユニットを上記複数の電子装置に近接させて配置するステップと、
上記プログラミングユニット内で無線更新ルーチンを起動するステップと
を有することを特徴とするデータ更新方法。
【請求項４２】  上記プログラミングユニットは、
通知チャネル上に通知データを送信するステップと、
データチャネル上に更新データを送信するステップと、
認証要求受信のための認証チャネルをモニターするステップと、
適当な認証要求の受信に応じて、上記複数の電子装置の一つからの肯定応答信号の受信ための肯定応答チャネルを表示するステップとを含み、
更に、上記複数の電子装置の一つは、
上記メモリ更新モードに置かれた上記電子装置に応答して、通知チャネルを探索するステップと、
データチャネルのロケーションを示す通知チャネルからデータを読み出すステップと、
更新データを上記複数の電子装置の一つにおける不揮発性メモリ内に記憶するステップと、
肯定応答信号を上記肯定応答チャネル上に送信するステップと
を有することを特徴とする上記請求項４１に記載のデータ更新方法。
【請求項４３】  上記プログラミングユニットは、
認証要求の受信に応答して、上記認証要求内に含まれている装置識別コードに基づき認証ストリングを選択するステップと、
上記認証ストリングを含む認証応答を上記認証チャネル上に送信するステップとを更に含み、
上記複数の電子装置の一つは、
上記通知チャネルの捜し出しに応答し、装置識別コードを含む認証要求を上記認証チャネル上に送信するステップと、
認証ストリングを含む認証応答を上記認証チャネル上で受信するステップと、
上記認証ストリングが正しいか否かを判断するステップと
を有することを特徴とする上記請求項４２に記載のデータ更新方法。
【請求項４４】  上記複数の電子装置の一つは、上記受信された認証ストリングが不正確であるとの判断に応答して電源を切るステップを有することを特徴とする上記請求項４３に記載のデータ更新方法。
【請求項４５】  上記複数の電子装置の一つは、上記更新データを上記データチャネルから読み出す最中に起きているエラーに応答して、上記肯定応答チャネル上に否定応答を送信するステップと、電源を切るステップとを有することを特徴とする上記請求項４２に記載のデータ更新方法。
【請求項４６】  上記複数の電子装置の一つは、上記更新データを上記不揮発性メモリ内に記憶する最中に起こるエラーに応答して、上記肯定応答チャネル上に否定応答を送信するステップと、電源を切るステップとを有することを特徴とする上記請求項４２に記載のデータ更新方法。
【請求項４７】  上記複数の電子装置の一つは、
所定の時間期間内での認証応答の受信の失敗に応答するステップと、
タイムアウト期間だけ待機するステップと、
認証要求を再送信するステップとを有することを特徴とする上記請求項４３に記載のデータ更新方法。
【請求項４８】  上記複数の電子装置の一つは、
上記肯定応答信号を上記肯定応答チャネル上に送信した後、肯定応答を受信するために所定の時間期間だけ待機するステップと、
肯定応答受信の失敗に応答するステップと、
所定の時間期間だけ待機するステップと、
肯定応答信号を再送信するステップとを有することを特徴とする上記請求項４２に記載のデータ更新方法。
【請求項４９】  プログラミングユニットと複数の電子装置とを備え、上記プログラミングユニットと上記複数の電子装置の各々は、マイクロプロセッサと無線通信インターフェースとを有し、且つ、上記複数の電子装置の各々は、追加的にそれぞれの不揮発性メモリと上記電子装置をメモリ更新モードに設定する手段を有しているシステムにおける、上記複数の電子装置の一つにおける不揮発性メモリ内に記憶されたデータを更新する方法であって、
上記プログラミングユニットを上記複数の電子装置に近接させて配置するステップと、
上記プログラミングユニット内で無線更新ルーチンを起動するステップと、
を含み、上記プログラミングユニットは、
通知データ上に更新データを送信するステップと、
データチャネル上に更新データを送信するステップと、
認証要求受信のための認証チャネルをモニターするステップと、
有効な認証要求の受信に応じて、上記複数の電子装置の一つからの肯定応答信号の受信ための肯定応答チャネルをモニターするステップと、
を更に含み、
上記複数の電子装置の一つは、
上記メモリ更新モードに置かれた上記電子装置に応答して、通知チャネルを探索するステップと、
データチャネルのロケーションを示す通知チャネルからデータを読み出すステップと、
前記データチャネルからのデータを読み出すステップと、
更新データを上記複数の電子装置の一つにおける不揮発性メモリ内に記憶するステップと、
肯定応答信号を上記肯定応答チャネル上に送信するステップと、
を含み、上記プログラミングユニットは、
認証要求の受信に応答して、上記認証要求内に含まれている装置識別コードに基づき認証ストリングを選択するステップと、
上記認証ストリングを含む認証応答を上記認証チャネル上に送信するステップと、
を更に含み、上記複数の電子装置の一つは、
上記通知チャネルの捜し出しに応答し、装置識別コードを含む認証要求を上記認証チャネル上に送信するステップと、
認証ストリングを含む認証応答を上記認証チャネル上で受信するステップと、
上記認証ストリングが正しいか否かを判断するステップと、
を含み、上記複数の電子装置の一つは、
所定の時間期間内での認証応答の受信の失敗に応答するステップと、
タイムアウト期間だけ待機するステップと、
認証要求を再送信するステップと、
を更に含み、
上記タイムアウト期間はランダムな遅延であることを特徴とするデータ更新方法。
【請求項５０】  プログラミングユニットと複数の電子装置とを備え、上記プログラミングユニットと上記複数の電子装置の各々は、マイクロプロセッサと無線通信インターフェースとを有し、且つ、上記複数の電子装置の各々は、追加的にそれぞれの不揮発性メモリと上記電子装置をメモリ更新モードに設定する手段を有しているシステムにおける、上記複数の電子装置の一つにおける不揮発性メモリ内に記憶されたデータを更新する方法であって、
上記プログラミングユニットを上記複数の電子装置に近接させて配置するステップと、
上記プログラミングユニット内で無線更新ルーチンを起動するステップと、
を含み、上記プログラミングユニットは、
通知データ上に更新データを送信するステップと、
データチャネル上に更新データを送信するステップと、
認証要求受信のための認証チャネルをモニターするステップと、
有効な認証要求の受信に応じて、上記複数の電子装置の一つからの肯定応答信号の受信ための肯定応答チャネルをモニターするステップと、
を更に含み、
上記複数の電子装置の一つは、
上記メモリ更新モードに置かれた上記電子装置に応答して、通知チャネルを探索するステップと、
データチャネルのロケーションを示す通知チャネルからデータを読み出すステップと、
前記データチャネルからのデータを読み出すステップと、
更新データを上記複数の電子装置の一つにおける不揮発性メモリ内に記憶するステップと、
肯定応答信号を上記肯定応答チャネル上に送信するステップと、
を含み、上記プログラミングユニットは、
認証要求の受信に応答して、上記認証要求内に含まれている装置識別コードに基づき認証ストリングを選択するステップと、
上記認証ストリングを含む認証応答を上記認証チャネル上に送信するステップと、
を更に含み、上記複数の電子装置の一つは、
上記通知チャネルの捜し出しに応答し、装置識別コードを含む認証要求を上記認証チャネル上に送信するステップと、
認証ストリングを含む認証応答を上記認証チャネル上で受信するステップと、
上記認証ストリングが正しいか否かを判断するステップと、
を含み、上記複数の電子装置の一つは、
所定の時間期間内での認証応答の受信の失敗に応答するステップと、
タイムアウト期間だけ待機するステップと、
認証要求を再送信するステップと、
を更に含み、
上記タイムアウト期間は、上記複数の電子装置の一つに固有な識別番号に基づいた所定期間であることを特徴とするデータ更新方法。
【請求項５１】  プログラミングユニットと複数の電子装置とを備え、上記プログラミングユニットと上記複数の電子装置の各々は、マイクロプロセッサと無線通信インターフェースとを有し、且つ、上記複数の電子装置の各々は、追加的にそれぞれの不揮発性メモリと上記電子装置をメモリ更新モードに設定する手段を有しているシステムにおける、上記複数の電子装置の一つにおける不揮発性メモリ内に記憶されたデータを更新する方法であって、
上記プログラミングユニットを上記複数の電子装置に近接させて配置するステップと、
上記プログラミングユニット内で無線更新ルーチンを起動するステップと、
を含み、上記プログラミングユニットは、
通知データ上に更新データを送信するステップと、
データチャネル上に更新データを送信するステップと、
認証要求受信のための認証チャネルをモニターするステップと、
有効な認証要求の受信に応じて、上記複数の電子装置の一つからの肯定応答信号の受信ための肯定応答チャネルをモニターするステップと、
を更に含み、
上記複数の電子装置の一つは、
上記メモリ更新モードに置かれた上記電子装置に応答して、通知チャネルを探索するステップと、
データチャネルのロケーションを示す通知チャネルからデータを読み出すステップと、
前記データチャネルからのデータを読み出すステップと、
更新データを上記複数の電子装置の一つにおける不揮発性メモリ内に記憶するステップと、
肯定応答信号を上記肯定応答チャネル上に送信するステップと、
を含み、
上記複数の電子装置の一つは、
上記肯定応答信号を上記肯定応答チャネル上に送信した後、肯定応答を受信するために所定の時間期間だけ待機するステップと、
肯定応答受信の失敗に応答するステップと、
所定の時間期間だけ待機するステップと、
肯定応答信号を再送信するステップと、
を更に含み、
上記タイムアウト期間はランダムな遅延であることを特徴とするデータ更新方法。
【請求項５２】  プログラミングユニットと複数の電子装置とを備え、上記プログラミングユニットと上記複数の電子装置の各々は、マイクロプロセッサと無線通信インターフェースとを有し、且つ、上記複数の電子装置の各々は、追加的にそれぞれの不揮発性メモリと上記電子装置をメモリ更新モードに設定する手段を有しているシステムにおける、上記複数の電子装置の一つにおける不揮発性メモリ内に記憶されたデータを更新する方法であって、
上記プログラミングユニットを上記複数の電子装置に近接させて配置するステップと、
上記プログラミングユニット内で無線更新ルーチンを起動するステップと、
を含み、上記プログラミングユニットは、
通知データ上に更新データを送信するステップと、
データチャネル上に更新データを送信するステップと、
認証要求受信のための認証チャネルをモニターするステップと、
有効な認証要求の受信に応じて、上記複数の電子装置の一つからの肯定応答信号の受信ための肯定応答チャネルをモニターするステップと、
を更に含み、
上記複数の電子装置の一つは、
上記メモリ更新モードに置かれた上記電子装置に応答して、通知チャネルを探索するステップと、
データチャネルのロケーションを示す通知チャネルからデータを読み出すステップと、
前記データチャネルからのデータを読み出すステップと、
更新データを上記複数の電子装置の一つにおける不揮発性メモリ内に記憶するステップと、
肯定応答信号を上記肯定応答チャネル上に送信するステップと、
を含み、
上記複数の電子装置の一つは、
上記肯定応答信号を上記肯定応答チャネル上に送信した後、肯定応答を受信するために所定の時間期間だけ待機するステップと、
肯定応答受信の失敗に応答するステップと、
所定の時間期間だけ待機するステップと、
肯定応答信号を再送信するステップと、
を更に含み、
上記タイムアウト期間は、上記複数の電子装置の一つに固有な識別番号に基づいた所定期間であることを特徴とするデータ更新方法。
【請求項５３】  マイクロプロセッサと、無線通信インターフェースと、不揮発性メモリと、上記電子装置をメモリ更新モードに置くための手段を有する電子装置における、上記不揮発性メモリ内に記憶されたデータを更新する方法において、
上記電子装置が上記メモリ更新モードに置かれることに応答して、通知チャネルを探索するステップと、
データチャネルのロケーションを示す上記通知チャネルからデータを読むステップと、
上記データチャネルから更新データを読むステップと、
上記更新データを上記電子装置の不揮発性メモリ内に記憶するステップと、
肯定応答信号を上記肯定応答チャネル上に送信するステップとを有することを特徴とするデータ更新方法。
【請求項５４】  上記通知チャネルの捜し出しに応答して、上記電子装置に固有な装置識別コードを含む認証要求を送信するステップと、
認証ストリングを含む認証応答を上記認証チャネル上で受信するステップと、
上記認証ストリングが正しいか否かを判断するステップとを有することを特徴とする上記請求項５３に記載のデータ更新方法。
【請求項５５】  上記受信された認証ストリングが不正確であるとの判断に応答して、電源を切るステップを有することを特徴とする上記請求項５４に記載のデータ更新方法。
【請求項５６】  マイクロプロセッサと、無線通信インターフェースと、不揮発性メモリと、メモリ更新モードに置くための手段とを各々有する複数の電子装置の一つにおける不揮発性メモリ内に記憶されたデータを更新するための、マイクロプロセッサと無線通信インターフェースとを有するプログラミングユニットにおける方法であって、
通知データを通知チャネル上に送信するステップと、
更新データをデータチャネル上に送信するステップと、
認証要求の受信のための認証チャネルをモニターするステップと、
適当な認証要求の受信に応答して、上記電子装置の一つからの肯定応答信号の受信のための肯定応答チャネルをモニターするステップを有することを特徴とするデータ更新方法。
【請求項５７】  認証要求の受信に応答して、上記認証要求に含まれる装置識別コードに基づいて認証ストリングを選択するステップと、上記認証ストリングを含む認証応答を上記認証チャネル上に送信するステップとを有することを特徴とする上記請求項５６に記載のデータ更新方法。